(57)【要約】【課題】パララックスバリアと等価な機能を導光板を用いて実現すると共に、適切な輝度分布の照明光が得られるようにする。【解決手段】第１の照明光を照射する第１の光源と、複数の散乱エリア群を有し、側面方向から照射された前記第１の照明光を前記複数の散乱エリア群で散乱させることによって外部に出射させる導光板とを備える。前記散乱エリア群は、前記画素の配列面に平行な面内で、全体として垂直方向に対して第１の斜め方向に分布する複数の散乱エリアからなる。前記複数の散乱エリアのうち、少なくとも１つの前記散乱エリアが、前記垂直方向に対して前記第１の斜め方向とは逆方向となる第２の斜め方向に延在する構造とされている。【選択図】図１３
2013104914.tif 000002
【特許請求の範囲】
【請求項１】
複数の画素が配列された表示部と、
前記表示部に対向配置され、前記表示部に向けて画像表示用の光を出射する光源デバイスと
を含み、
前記光源デバイスは、
第１の照明光を照射する第１の光源と、
複数の散乱エリア群を有し、側面方向から照射された前記第１の照明光を前記複数の散乱エリア群で散乱させることによって外部に出射させる導光板と
を備え、
前記散乱エリア群は、前記画素の配列面に平行な面内で、全体として垂直方向に対して第１の斜め方向に分布する複数の散乱エリアからなり、
前記複数の散乱エリアのうち、少なくとも１つの前記散乱エリアが、前記垂直方向に対して前記第１の斜め方向とは逆方向となる第２の斜め方向に延在する構造とされている
表示装置。
【請求項２】
前記第１の斜め方向に隣接する２つの前記散乱エリアの間に隙間が設けられている
請求項１に記載の表示装置。
【請求項３】
前記散乱エリアの上部の中点と下部の中点とを結んだ中心線が、前記第２の斜め方向に平行となっている
請求項１に記載の表示装置。
【請求項４】
前記複数の散乱エリアとして、前記第２の斜め方向に延在する第１の散乱エリアと、前記垂直方向に延在する第２の散乱エリアとを有し、前記第１の散乱エリアと前記第２の散乱エリアとが前記第１の斜め方向に隣接配置されている
請求項１に記載の表示装置。
【請求項５】
前記複数の散乱エリアのうち、少なくとも１つの前記散乱エリアが、所定の単位長さごとに複数の分割エリアに分割され、複数の前記分割エリアが全体として前記第２の斜め方向に延在している
請求項１に記載の表示装置。
【請求項６】
前記導光板に対向配置され、前記第１の光源とは異なる方向から前記導光板に向けて第２の照明光を照射する第２の光源と、
請求項１に記載の表示装置。
【請求項７】
前記表示部は、３次元画像データに基づく複数の視点画像と２次元画像データに基づく画像とを選択的に切り替え表示するものであり、
前記第２の光源は、前記表示部に前記複数の視点画像を表示する場合には、非点灯状態に制御され、前記表示部に前記２次元画像データに基づく画像を表示する場合には、点灯状態に制御される
請求項６に記載の表示装置。
【請求項８】
前記第１の光源は、前記表示部に前記複数の視点画像を表示する場合には、点灯状態に制御され、前記表示部に前記２次元画像データに基づく画像を表示する場合には、非点灯状態または点灯状態に制御される
請求項７に記載の表示装置。
【請求項９】
前記導光板に対して、前記第１の照明光の出射方向とは反対側に対向配置され、入射した光線に対する作用を、光吸収状態と散乱反射状態との２つの状態に選択的に切り替え可能な光学デバイスをさらに備えた
請求項１に記載の表示装置。
【請求項１０】
前記導光板に対して、前記第１の照明光の出射方向に対向配置され、入射した光線に対する作用を、透明状態と拡散透過状態との２つの状態に選択的に切り替え可能な光学デバイスをさらに備えた
請求項１に記載の表示装置。
【請求項１１】
第１の照明光を照射する第１の光源と、
複数の画素が配列された表示部に対して対向配置され、複数の散乱エリア群を有し、側面方向から照射された前記第１の照明光を前記複数の散乱エリア群で散乱させることによって外部に出射させる導光板と
を備え、
前記散乱エリア群は、前記画素の配列面に平行な面内で、全体として垂直方向に対して第１の斜め方向に分布する複数の散乱エリアからなり、
前記複数の散乱エリアのうち、少なくとも１つの前記散乱エリアが、前記垂直方向に対して前記第１の斜め方向とは逆方向となる第２の斜め方向に延在する構造とされている
光源デバイス。
【請求項１２】
表示装置を備え、
前記表示装置は、
複数の画素が配列された表示部と、
前記表示部に対向配置され、前記表示部に向けて画像表示用の光を出射する光源デバイスと
を含み、
前記光源デバイスは、
第１の照明光を照射する第１の光源と、
複数の散乱エリア群を有し、側面方向から照射された前記第１の照明光を前記複数の散乱エリア群で散乱させることによって外部に出射させる導光板と
を有し、
前記散乱エリア群は、前記画素の配列面に平行な面内で、全体として垂直方向に対して第１の斜め方向に分布する複数の散乱エリアからなり、
前記複数の散乱エリアのうち、少なくとも１つの前記散乱エリアが、前記垂直方向に対して前記第１の斜め方向とは逆方向となる第２の斜め方向に延在する構造とされている
電子機器。
【発明の詳細な説明】
【技術分野】
【０００１】
本開示は、パララックスバリア（視差バリア）方式による立体視を可能にする光源デバイスおよび表示装置、ならびに電子機器に関する。
【背景技術】
【０００２】
特殊な眼鏡を装着する必要がなく、裸眼で立体視が可能な立体表示方式の一つとして、パララックスバリア方式の立体表示装置が知られている。この立体表示装置は、２次元表示パネルの前面（表示面側）に、パララックスバリアを対向配置したものである。パララックスバリアの一般的な構造は、２次元表示パネルからの表示画像光を遮蔽する遮蔽部と、表示画像光を透過するストライプ状の開口部（スリット部）とを水平方向に交互に設けたものである。
【０００３】
パララックスバリア方式では、２次元表示パネルに立体視用の視差画像（２視点の場合には右眼用視点画像と左眼用視点画像）を空間分割して表示し、その視差画像をパララックスバリアによって水平方向に分離することで立体視が行われる。パララックスバリアにおけるスリット幅などを適切に設定することで、所定の位置、方向から観察者が立体表示装置を見た場合に、スリット部を介して観察者の左右の眼に異なる視差画像の光を別々に入射させることができる。
【０００４】
なお、２次元表示パネルとして例えば透過型の液晶表示パネルを用いる場合、２次元表示パネルの背面側にパララックスバリアを配置する構成も可能である（特許文献１の図１０、特許文献２の図３参照）。この場合、パララックスバリアは、透過型の液晶表示パネルとバックライトとの間に配置される。
【先行技術文献】
【特許文献】
【０００５】
【特許文献１】特許第３５６５３９１号公報（図１０）
【特許文献２】特開２００７−１８７８２３号公報（図３）
【発明の概要】
【発明が解決しようとする課題】
【０００６】
しかしながら、パララックスバリア方式の立体表示装置では、パララックスバリアという３次元表示用の専用部品を必要とするため、部品点数と配置スペースが通常の２次元表示用の表示装置に比べて多く必要になってしまうという問題がある。また、２次元表示と３次元表示とを任意に切り替え表示可能にした表示装置に対する需要がある。この場合、２次元表示と３次元表示との双方について良好な表示を行えるようにする必要がある。そのためには、２次元表示と３次元表示との双方について、適切な輝度分布の照明光が得られるようにする必要がある。
【０００７】
本開示の目的は、パララックスバリアと等価な機能を導光板を用いて実現すると共に、適切な輝度分布の照明光が得られるようにした光源デバイスおよび表示装置、ならびに電子機器を提供することにある。
【課題を解決するための手段】
【０００８】
本開示による光源デバイスは、第１の照明光を照射する第１の光源と、複数の画素が配列された表示部に対して対向配置され、複数の散乱エリア群を有し、側面方向から照射された第１の照明光を複数の散乱エリア群で散乱させることによって外部に出射させる導光板とを備えたものである。そして、散乱エリア群が、画素の配列面に平行な面内で、全体として垂直方向に対して第１の斜め方向に分布する複数の散乱エリアからなり、複数の散乱エリアのうち、少なくとも１つの散乱エリアが、垂直方向に対して第１の斜め方向とは逆方向となる第２の斜め方向に延在する構造とされているものである。
【０００９】
本開示による表示装置は、複数の画素が配列された表示部と、表示部に対向配置され、表示部に向けて画像表示用の光を出射する光源デバイスとを備え、その光源デバイスを、上記本開示の光源デバイスで構成したものである。
また、本開示による電子機器は、上記本開示による表示装置を備えたものである。
【００１０】
本開示による光源デバイス、表示装置または電子機器では、第１の光源からの第１の照明光が散乱エリアによって散乱され、導光板の外部に出射される。これにより、第１の照明光に対しては、導光板自体にパララックスバリアとしての機能を持たせることが可能となる。すなわち、等価的に、散乱エリアを開口部（スリット部）としたパララックスバリアとして機能させることができる。これにより、３次元表示に対応することが可能となる。また、例えば散乱エリアの背面側から照明光を照射することで、２次元表示に対応することが可能となる。この場合において、複数の散乱エリアのうち、少なくとも１つの散乱エリアが、垂直方向に対して第１の斜め方向とは逆方向となる第２の斜め方向に延在する構造とされていることで、２次元表示における輝度分布が改善される。
【発明の効果】
【００１１】
本開示の光源デバイス、表示装置または電子機器によれば、導光板に第１の照明光を散乱させる複数の散乱エリアを設けるようにしたので、第１の照明光に対しては、等価的に、導光板自体にパララックスバリアとしての機能を持たせることができる。また、複数の散乱エリアのうち、少なくとも１つの散乱エリアが、垂直方向に対して第１の斜め方向とは逆方向となる第２の斜め方向に延在する構造となるようにしたので、散乱エリアの背面側から照明光を照射した場合の輝度分布を改善することができる。これにより、適切な輝度分布の照明光を得ることができる。
【図面の簡単な説明】
【００１２】
【図１】本開示の第１の実施の形態に係る表示装置の一構成例を、第１の光源のみをオン（点灯）状態にした場合における光源デバイスからの光線の出射状態と共に示す断面図である。
【図２】図１に示した表示装置の一構成例を、第２の光源のみをオン（点灯）状態にした場合における光源デバイスからの光線の出射状態と共に示す断面図である。
【図３】（Ａ）は第２の光源のみをオン（点灯）状態にした場合における光源デバイスからの光線の出射状態を、散乱エリアでの輝度低下を考慮して示した断面図である。（Ｂ）は第２の光源のみをオン状態にした場合における輝度分布を示す説明図である。
【図４】表示部の画素構造の一例を示す平面図である。
【図５】（Ａ）は図１に示した表示装置における導光板表面の第１の構成例を示す断面図であり、（Ｂ）は（Ａ）に示した導光板表面での光線の散乱反射状態を模式的に示す説明図である。
【図６】（Ａ）は図１に示した表示装置における導光板表面の第２の構成例を示す断面図であり、（Ｂ）は（Ａ）に示した導光板表面での光線の散乱反射状態を模式的に示す説明図である。
【図７】（Ａ）は図１に示した表示装置における導光板表面の第３の構成例を示す断面図であり、（Ｂ）は（Ａ）に示した導光板表面での光線の散乱反射状態を模式的に示す説明図である。
【図８】散乱エリアの配置パターンの第１の比較例を示す平面図である。
【図９】散乱エリアの配置パターンの第１の比較例を示す説明図である。
【図１０】散乱エリアの配置パターンの第２の比較例を示す平面図である。
【図１１】散乱エリアの配置パターンの第２の比較例を示す説明図である。
【図１２】散乱エリアの配置パターンの一例を示す平面図である。
【図１３】散乱エリアの配置パターンの一例を示す説明図である。
【図１４】散乱エリアの配置パターンの第１の変形例を示す平面図である。
【図１５】散乱エリアの配置パターンの第１の変形例を示す説明図である
【図１６】散乱エリアの配置パターンの第２の変形例を示す平面図である。
【図１７】散乱エリアの配置パターンの第２の変形例を示す説明図である
【図１８】散乱エリアの配置パターンの第３の変形例を示す平面図である。
【図１９】散乱エリアの配置パターンの第３の変形例を示す説明図である
【図２０】散乱エリアの配置パターンの第４の変形例を示す平面図である。
【図２１】散乱エリアの配置パターンの第４の変形例を示す説明図である
【図２２】散乱エリアの配置パターンの第５の変形例を示す平面図である。
【図２３】散乱エリアの配置パターンの第５の変形例を示す説明図である
【図２４】散乱エリアの配置パターンの第５の変形例を示す説明図である。
【図２５】散乱エリアの配置パターンの第６の変形例を示す平面図である。
【図２６】散乱エリアの配置パターンの第６の変形例を示す説明図である
【図２７】第３の実施の形態に係る表示装置の構成例を光源デバイスからの光線の出射状態と共に示した示す断面図であり、（Ａ）は３次元表示時の光線出射状態を示し、（Ｂ）は２次元表示時の光線出射状態を示している。
【図２８】第４の実施の形態に係る表示装置の構成例を光源デバイスからの光線の出射状態と共に示した示す断面図であり、（Ａ）は３次元表示時の光線出射状態を示し、（Ｂ）は２次元表示時の光線出射状態を示している。
【図２９】第５の実施の形態に係る表示装置の構成例を光源デバイスからの光線の出射状態と共に示した示す断面図であり、（Ａ）は３次元表示時の光線出射状態を示し、（Ｂ）は２次元表示時の光線出射状態を示している。
【図３０】電子機器の一例を示す外観図である。
【発明を実施するための形態】
【００１３】
以下、本開示の実施の形態について図面を参照して詳細に説明する。なお、説明は以下の順序で行う。
１．第１の実施の形態
第１の光源と第２の光源とを用いる表示装置の例。
散乱エリアが第２の内部反射面にある表示装置の例。
２．第２の実施の形態
第１の実施の形態に対する第１ないし第６の変形例。
３．第３の実施の形態
第１の光源と第２の光源とを用いる表示装置の例。
散乱エリアが第１の内部反射面にある表示装置の例。
４．第４の実施の形態
第１の光源と電子ペーパーとを用いる表示装置の例。
５．第５の実施の形態
第１の光源とポリマー拡散板とを用いる表示装置の例。
６．その他の実施の形態
電子機器の構成例等
【００１４】
＜１．第１の実施の形態＞
［表示装置の全体構成］
図１および図２は、本開示の第１の実施の形態に係る表示装置の一構成例を示している。この表示装置は、画像表示を行う表示部１と、表示部１の背面側に配置され、表示部１に向けて画像表示用の光を出射する光源デバイスとを備えている。光源デバイスは、第１の光源２（２Ｄ／３Ｄ表示用光源）と、導光板３と、第２の光源７（２Ｄ表示用光源）とを備えている。導光板３は、表示部１側に対向配置される第１の内部反射面３Ａと、第２の光源７側に対向配置される第２の内部反射面３Ｂとを有している。なお、この表示装置は、その他にも、表示に必要な表示部１用の制御回路等を備えているが、その構成は一般的な表示用の制御回路等と同様であるので、その説明を省略する。また、光源デバイスは、図示しないが、第１の光源２および第２の光源７のオン（点灯）・オフ（非点灯）制御を行う制御回路を備えている。
【００１５】
なお、本実施の形態では、表示部１の表示面（画素の配列面）、または導光板３の第２の内部反射面３Ｂに平行な面内における第１の方向（垂直方向）をＹ方向、第１の方向に直交する第２の方向（水平方向）をＸ方向とする。また、Ｙ方向およびＸ方向に直交する方向（厚み方向）をＺ方向とする。
【００１６】
この表示装置は、全画面での２次元（２Ｄ）表示モードと、全画面での３次元（３Ｄ）表示モードとを任意に選択的に切り替えることが可能とされている。２次元表示モードと３次元表示モードとの切り替えは、表示部１に表示する画像データの切り替え制御と、第１の光源２および第２の光源７のオン・オフの切り替え制御とを行うことで可能となっている。図１は、第１の光源２のみをオン（点灯）状態にした場合における光源デバイスからの光線の出射状態を模式的に示しているが、これは３次元表示モードに対応している。図２は、第２の光源７のみをオン（点灯）状態にした場合における光源デバイスからの光線の出射状態を模式的に示しているが、これは２次元表示モードに対応している。
【００１７】
表示部１は、透過型の２次元表示パネル、例えば透過型の液晶表示パネルを用いて構成され、例えば図４に示したように、Ｒ（赤色）用画素１１Ｒ、Ｇ（緑色）用画素１１Ｇ、およびＢ（青色）用画素１１Ｂからなる画素１１を複数有し、それら複数の画素１１がマトリクス状に配置されている。表示部１は、光源デバイスからの光を画像データに応じて画素１１を各色ごとに変調させることで２次元的な画像表示を行うようになっている。表示部１には、３次元画像データに基づく複数の視点画像と２次元画像データに基づく画像とが任意に選択的に切り替え表示されるようになっている。なお、３次元画像データとは、例えば、３次元表示における複数の視野角方向に対応した複数の視点画像を含むデータである。例えば２眼式の３次元表示を行う場合、右眼表示用と左眼表示用の視点画像のデータである。３次元表示モードでの表示を行う場合には、例えば、１画面内にストライプ状の複数の視点画像が含まれる合成画像を生成して表示する。
【００１８】
第１の光源２は、例えば、ＣＣＦＬ（Cold Cathode Fluorescent Lamp）等の蛍光ランプや、ＬＥＤ（Light Emitting Diode）を用いて構成されている。第１の光源２は、導光板３内部に向けて側面方向から第１の照明光Ｌ１（図１）を照射するようになっている。第１の光源２は、導光板３の側面に少なくとも１つ配置されている。例えば、導光板３の平面形状が四角形である場合、側面は４つとなるが、第１の光源２は、少なくともいずれか１つの側面に配置されていれば良い。図１では、導光板３における互いに対向する２つの側面に第１の光源２を配置した構成例を示している。第１の光源２は、２次元表示モードと３次元表示モードとの切り替えに応じて、オン（点灯）・オフ（非点灯）制御されるようになっている。具体的には第１の光源２は、表示部１に３次元画像データに基づく画像を表示する場合（３次元表示モードの場合）には点灯状態に制御されると共に、表示部１に２次元画像データに基づく画像を表示する場合（２次元表示モードの場合）には非点灯状態または点灯状態に制御されるようになっている。
【００１９】
第２の光源７は、導光板３に対して第２の内部反射面３Ｂが形成された側に対向配置されている。第２の光源７は、第１の光源２とは異なる方向から導光板３に向けて第２の照明光Ｌ１０を照射するようになっている。より具体的には、第２の光源７は、第２の内部反射面３Ｂに向けて外側（導光板３の背面側）から第２の照明光Ｌ１０を照射するようになっている（図２参照）。第２の光源７は、一様な面内輝度の光を発する面状光源であれば良く、その構造自体は特定のものには限定されず、市販の面状バックライトを使用することが可能である。例えばＣＣＦＬやＬＥＤ等の発光体と、面内輝度を均一化するための光拡散板とを用いた構造などが考えられる。第２の光源７は、２次元表示モードと３次元表示モードとの切り替えに応じて、オン（点灯）・オフ（非点灯）制御されるようになっている。具体的には第２の光源７は、表示部１に３次元画像データに基づく画像を表示する場合（３次元表示モードの場合）には非点灯状態に制御されると共に、表示部１に２次元画像データに基づく画像を表示する場合（２次元表示モードの場合）には点灯状態に制御されるようになっている。
【００２０】
導光板３は、例えばアクリル樹脂等による透明なプラスチック板により構成されている。導光板３は、第２の内部反射面３Ｂ以外の面は、全面に亘って透明とされている。例えば、導光板３の平面形状が四角形である場合、第１の内部反射面３Ａと、４つの側面とが全面に亘って透明とされている。
【００２１】
第１の内部反射面３Ａは、全面に亘って鏡面加工がなされており、導光板３内部において全反射条件を満たす入射角で入射した光線を内部全反射させると共に、全反射条件から外れた光線を外部に出射するようになっている。
【００２２】
第２の内部反射面３Ｂは、散乱エリア３１と全反射エリア３２とを有している。散乱エリア３１は、後述するように、導光板３の表面にレーザ加工、サンドブラスト加工、塗装加工、またはシート状の光散乱部材を貼り付けるなどすることで形成されている。第２の内部反射面３Ｂにおいて、散乱エリア３１は３次元表示モードにしたときに、第１の光源２からの第１の照明光Ｌ１に対してパララックスバリアとしての開口部（スリット部）として機能し、全反射エリア３２は遮蔽部として機能するようになっている。第２の内部反射面３Ｂにおいて、散乱エリア３１と全反射エリア３２は、パララックスバリアに相当する構造となるようなパターンで設けられている。すなわち、全反射エリア３２はパララックスバリアにおける遮蔽部に相当するパターンで設けられ、散乱エリア３１はパララックスバリアにおける開口部に相当するパターンで設けられている。
なお、散乱エリア３１の配置パターンは具体的には、例えば図１２および図１３に示したようなものとなっているが、これについては後に詳述する。
【００２３】
第１の内部反射面３Ａと第２の内部反射面３Ｂにおける全反射エリア３２は、全反射条件を満たす入射角θ１で入射した光線を内部全反射させる（所定の臨界角αよりも大きい入射角θ１で入射した光線を内部全反射させる）ようになっている。これにより、全反射条件を満たす入射角θ１で入射した第１の光源２からの第１の照明光Ｌ１は、第１の内部反射面３Ａと第２の内部反射面３Ｂにおける全反射エリア３２との間で、内部全反射により側面方向に導光されるようになっている。全反射エリア３２はまた、図２に示したように、第２の光源７からの第２の照明光Ｌ１０を透過させ、第１の内部反射面３Ａに向けて全反射条件を外れた光線として出射するようになっている。
【００２４】
なお、導光板３の屈折率をｎ１、導光板３の外側の媒質（空気層）の屈折率をｎ０（＜ｎ１）とすると臨界角αは、以下で表される。α，θ１は、導光板表面の法線に対する角度とする。全反射条件を満たす入射角θ１は、θ１＞αとなる。
ｓｉｎα＝ｎ０／ｎ１
【００２５】
散乱エリア３１は、図１に示したように、第１の光源２からの第１の照明光Ｌ１を散乱反射させ、第１の照明光Ｌ１の少なくとも一部の光を第１の内部反射面３Ａに向けて全反射条件を外れた光線（散乱光線Ｌ２０）として出射するようになっている。
【００２６】
なお、図１に示した表示装置において、表示部１に表示された複数の視点画像の空間分離を行うためには、表示部１の画素部と導光板３の散乱エリア３１とが所定の距離を保って対向配置されている必要がある。図１では表示部１と導光板３との間が空気間隔となっているが、所定の距離を保つために、表示部１と導光板３との間にスペーサが配置されていても良い。この場合、スペーサは、無色透明で散乱が少ない材料であればよく、例えばＰＭＭＡなどを使用することができる。このスペーサは表示部１の背面側の表面と導光板３の表面との全部を覆うように設けられていても良いし、所定の距離を保つために必要最小限、部分的に設けられていても構わない。また、導光板３の厚みを全体的に厚くして空気間隔をなくすようにしてもよい。
【００２７】
［散乱エリア３１の具体的な構成例］
図５（Ａ）は、導光板３における第２の内部反射面３Ｂの第１の構成例を示している。図５（Ｂ）は図５（Ａ）に示した第１の構成例における第２の内部反射面３Ｂでの光線の反射状態および散乱状態を模式的に示している。この第１の構成例は、散乱エリア３１を、全反射エリア３２に対して凹形状の散乱エリア３１Ａにした構成例である。このような凹形状の散乱エリア３１Ａは例えば、サンドブラスト加工やレーザ加工により形成することができる。例えば、導光板３の表面を鏡面加工した後、散乱エリア３１Ａに対応する部分をレーザ加工することで形成することができる。この第１の構成例の場合、第２の内部反射面３Ｂにおいて、全反射条件を満たす入射角θ１で入射した第１の光源２からの第１の照明光Ｌ１１は、全反射エリア３２で内部全反射される。一方、凹形状の散乱エリア３１Ａでは、全反射エリア３２と同じ入射角θ１で入射したとしても、入射した第１の照明光Ｌ１２の光線の一部が凹形状の側面部分３３では全反射条件を満たさなくなり、一部が散乱透過し、その他は散乱反射する。この散乱反射した光線（散乱光線Ｌ２０）の一部またはすべてが、図１に示したように、第１の内部反射面３Ａに向けて全反射条件を外れた光線として出射される。
【００２８】
図６（Ａ）は、導光板３における第２の内部反射面３Ｂの第２の構成例を示している。図６（Ｂ）は図６（Ａ）に示した第２の構成例における第２の内部反射面３Ｂでの光線の反射状態および散乱状態を模式的に示している。この第２の構成例は、散乱エリア３１を、全反射エリア３２に対して凸形状の散乱エリア３１Ｂにした構成例である。このような凸形状の散乱エリア３１Ｂは例えば、導光板３の表面を金型による成型加工することで形成することができる。この場合、金型の表面により全反射エリア３２に対応する部分については鏡面加工を行う。この第２の構成例の場合、第２の内部反射面３Ｂにおいて、全反射条件を満たす入射角θ１で入射した第１の光源２からの第１の照明光Ｌ１１は、全反射エリア３２で内部全反射される。一方、凸形状の散乱エリア３１Ｂでは、全反射エリア３２と同じ入射角θ１で入射したとしても、入射した第１の照明光Ｌ１２の光線の一部が凸形状の側面部分３４では全反射条件を満たさなくなり、一部が散乱透過し、その他は散乱反射する。この散乱反射した光線（散乱光線Ｌ２０）の一部またはすべてが、図１に示したように、第１の内部反射面３Ａに向けて全反射条件を外れた光線として出射される。
【００２９】
図７（Ａ）は、導光板３における第２の内部反射面３Ｂの第３の構成例を示している。図７（Ｂ）は図７（Ａ）に示した第３の構成例における第２の内部反射面３Ｂでの光線の反射状態および散乱状態を模式的に示している。図５（Ａ）および図６（Ａ）の構成例では、導光板３の表面を全反射エリア３２とは異なる形状に表面加工することにより散乱エリア３１を形成するようにした。これに対して図７（Ａ）の構成例による散乱エリア３１Ｃは、表面加工ではなく、第２の内部反射面３Ｂに対応する導光板３の表面に、導光板３の材料とは異なる材料による光散乱部材３５を配置したものである。この場合、光散乱部材３５として例えば白色塗料（例えば硫酸バリウム）をスクリーン印刷で導光板３の表面にパターニングすることで散乱エリア３１Ｃを形成することができる。この第３の構成例の場合、第２の内部反射面３Ｂにおいて、全反射条件を満たす入射角θ１で入射した第１の光源２からの第１の照明光Ｌ１１は、全反射エリア３２で内部全反射される。一方、光散乱部材３５を配置した散乱エリア３１Ｃでは、全反射エリア３２と同じ入射角θ１で入射したとしても、入射した第１の照明光Ｌ１２が光散乱部材３５によって一部が散乱透過し、その他は散乱反射する。この散乱反射した光線の一部またはすべてが、第１の内部反射面３Ａに向けて全反射条件を外れた光線として出射される。
【００３０】
［表示装置の基本動作］
この表示装置において、３次元表示モードでの表示を行う場合、表示部１には３次元画像データに基づく画像表示を行うと共に、第１の光源２と第２の光源７とを３次元表示用にオン（点灯）・オフ（非点灯）制御する。具体的には、図１に示したように、第１の光源２をオン（点灯）状態にすると共に、第２の光源７をオフ（非点灯）状態に制御する。この状態では、第１の光源２からの第１の照明光Ｌ１は、導光板３において第１の内部反射面３Ａと第２の内部反射面３Ｂの全反射エリア３２との間で、繰り返し内部全反射されることにより、第１の光源２が配置された側の一方の側面から、対向する他方の側面へと導光され、他方の側面から出射される。その一方で、第１の光源２による第１の照明光Ｌ１の一部が、導光板３の散乱エリア３１で散乱反射されることで、導光板３の第１の内部反射面３Ａを透過し、導光板３の外部に出射される。これにより、導光板自体にパララックスバリアとしての機能を持たせることが可能となる。すなわち、第１の光源２による第１の照明光Ｌ１に対しては、等価的に、散乱エリア３１を開口部（スリット部）とし、全反射エリア３２を遮蔽部とするようなパララックスバリアとして機能させることができる。これにより、等価的に、表示部１の背面側にパララックスバリアを配置したパララックスバリア方式による３次元表示が行われる。
【００３１】
一方、２次元表示モードでの表示を行う場合には、表示部１には２次元画像データに基づく画像表示を行うと共に、第１の光源２と第２の光源７とを２次元表示用にオン（点灯）・オフ（非点灯）制御する。具体的には、例えば図２に示したように、第１の光源２をオフ（非点灯）状態にすると共に、第２の光源７をオン（点灯）状態に制御する。この場合、第２の光源７による第２の照明光Ｌ１０が、第２の内部反射面３Ｂにおける全反射エリア３２を透過することで、第１の内部反射面３Ａのほぼ全面から、全反射条件を外れた光線となって導光板３の外部に出射される。すなわち導光板３は、通常のバックライトと同様の面状光源として機能する。これにより、等価的に、表示部１の背面側に通常のバックライトを配置したバックライト方式による２次元表示が行われる。
【００３２】
なお、第２の光源７のみを点灯させたとしても導光板３のほぼ全面から、第２の照明光Ｌ１０が出射されるが、必要に応じて、第１の光源２を点灯するようにしても良い。これにより、例えば、第２の光源７のみを点灯しただけでは、散乱エリア３１と全反射エリア３２とに対応する部分で輝度分布に差が生じるような場合、第１の光源２の点灯状態を適宜調整する（オン・オフ制御、または点灯量の調整をする）ことで全面に亘って輝度分布を最適化することが可能である。ただし、２次元表示を行う場合において、例えば表示部１側で十分に輝度の補正を行える場合には、第２の光源７のみの点灯で構わない。
【００３３】
［視点画像の割り当てパターンと散乱エリア３１の配置パターンとの具体例］
この表示装置では、３次元表示モードでの表示を行う場合、表示部１には複数の視点画像を所定の割り当てパターンで各画素１１に割り当てて表示する。導光板３における複数の散乱エリア３１は、その所定の割り当てパターンに対応した所定の配置パターンで設けられている。
【００３４】
（比較例）
まず、比較例の配置パターンについて説明する。図８および図９は、散乱エリア３１の配置パターンの第１の比較例を示している。図８において、各色用画素１１Ｒ，１１Ｇ，１１Ｂに付した丸付きの１〜６の数字は、表示する視点数に対応する画素番号（視点番号）を示している。図８では、３次元表示のための単位画素（１立体画素）に、第１から第６の視点画像が割り当てられている。斜め方向に連続する３つの各色用画素１１Ｒ，１１Ｇ，１１Ｂの組み合わせが１視点分の単位画素となっている。
【００３５】
この第１の比較例では、図９に示したように、垂直方向（Ｙ方向）に対して第１の斜め方向５１に延在するように傾斜配置された散乱エリア６１が複数、第１の斜め方向５１に連続的に分布し、１つの散乱エリア群を形成している。１つの散乱エリア群は、画素１１の配列面に垂直な方向から見たときに１立体画素の中央部分の画素、図８の例では、第３視点の画素と第４視点の画素とにまたがるように分布している。散乱エリア６１の高さ（垂直方向の長さ）ｈ１は、各色用画素１１Ｒ，１１Ｇ，１１Ｂの１つ分の高さと略等しくなっている。散乱エリア６１の幅（水平方向の長さ）Ｄ１は、各色用画素１１Ｒ，１１Ｇ，１１Ｂの１つ分の幅と略等しくなっている。なお、図８では１つの散乱エリア群のみを代表して図示しているが、全体としては散乱エリア群が複数、水平方向に分布している。これにより、全体としては、斜めストライプ状のバリアパターンで構成されたパララックスバリアと等価な構成とされている。
【００３６】
図１０および図１１は、散乱エリア３１の配置パターンの第２の比較例を示している。図１０に示した視点画像の割り当てパターンは、図８と同様となっている。この第２の比較例では、図１１に示したように、垂直方向（Ｙ方向）に延在する長方形状の散乱エリア６２が複数、第１の斜め方向５１に連続的に分布し、１つの散乱エリア群を形成している。１つの散乱エリア群は、画素１１の配列面に垂直な方向から見たときに１立体画素の中央部分の画素、図１０の例では、第３視点の画素と第４視点の画素とにまたがるように分布している。散乱エリア６２の高さ（垂直方向の長さ）ｈ１は、各色用画素１１Ｒ，１１Ｇ，１１Ｂの１つ分の高さと略等しくなっている。散乱エリア６２の幅（水平方向の長さ）Ｄ１は、各色用画素１１Ｒ，１１Ｇ，１１Ｂの１つ分の幅と略等しくなっている。なお、図１０では１つの散乱エリア群のみを代表して図示しているが、全体としては散乱エリア群が複数、水平方向に分布している。これにより、全体としては、ステップ状のバリアパターンで構成されたパララックスバリアと等価な構成とされている。
【００３７】
（比較例の構造の問題点）
図２では、本実施の形態に係る表示装置において、第２の光源７のみをオン（点灯）状態にした場合（２次元表示モード）における、理想的な光線の出射状態を示している。第２の光源７のみをオン（点灯）状態にした場合、図２に示したように導光板３において第２の照明光Ｌ１０が全反射エリア３２および散乱エリア３１を同等に透過し、第１の内部反射面３Ａのほぼ全面から均一に外部に出射されることが理想である。しかしながら、実際には、散乱エリア３１では第２の照明光Ｌ１０に対して散乱透過や散乱反射がある。このため、全反射エリア３２と比較すると、散乱エリア３１に対応する位置では光線の出射方向が変化してしまい、導光板３の外部に出射される光線の輝度が低下し、輝度分布が不均一になってしまう。図３（Ａ）は、上記したような散乱エリア３１での散乱透過や散乱反射を考慮した場合の２次元表示モードにおける光線の出射状態を示している。図３（Ｂ）は、図３（Ａ）の光線出射状態でのＸ方向の輝度分布を示している。
【００３８】
図３（Ｂ）に示したように、散乱エリア３１に対応する位置で輝度が低下する。特に、３次元表示の視点数を多くしようとすると、散乱エリア３１の水平方向の配置間隔が大きくなり、散乱エリア３１の水平方向の配置位置の周期が長くなる。この場合、輝度低下の周期が長くなり、目視観察でも輝度低下が見えやすくなってしまう。特に、散乱エリア３１の配置パターンを上記した比較例のような構造にした場合には、散乱エリア３１が隙間（ギャップ）なく第１の斜め方向５１に連続的に分布しているため、この輝度低下が見えやすくなってしまう。
【００３９】
（輝度低下を認識し難くする散乱エリア３１の配置パターンの例）
図１２および図１３は、上述の輝度低下を認識し難くする散乱エリア３１の配置パターンの一具体例を示している。図１２に示した視点画像の割り当てパターンは、図８と同様となっている。この具体例では、図１３に示したように、垂直方向（Ｙ方向）に対して第１の斜め方向５１とは逆方向となる第２の斜め方向５２に延在するように傾斜配置された斜め形状の散乱エリア６３が複数、第１の斜め方向５１に不連続に分布し、１つの散乱エリア群を形成している。１つの散乱エリア群は、画素１１の配列面に垂直な方向から見たときに１立体画素の中央部分の画素、図１２の例では、第３視点の画素と第４視点の画素とにまたがるように分布している。斜め形状の散乱エリア６３の高さ（垂直方向の長さ）ｈ１は、各色用画素１１Ｒ，１１Ｇ，１１Ｂの１つ分の高さと略等しくなっている。斜め形状の散乱エリア６３の幅（水平方向の長さ）Ｄ１は、各色用画素１１Ｒ，１１Ｇ，１１Ｂの１つ分の幅に対して、例えば０．５倍以上１．５倍以下程度の大きさで構成されている。なお、図１２では１つの散乱エリア群のみを代表して図示しているが、全体としては散乱エリア群が複数、水平方向に分布している。これにより、３次元表示を行う場合には、図８および図９に示した構成と実質的に等価な表示を行うことができる。３次元表示に関して、図８および図９に示した構成と実質的に等価な表示を行うためには、斜め形状の散乱エリア６３の幅を、図８および図９に示した構成における斜め形状の散乱エリア６１の幅と略同じとし、１つの散乱エリア６３の面積が散乱エリア６１の面積と略同じにすることが望ましい。
【００４０】
この具体例では、図１３に示したように、斜め形状の散乱エリア６３の上部の中点Ｐ１と下部の中点Ｐ２とを結んだ中心線が、第２の斜め方向５２に平行になっている。この具体例では、第１の斜め方向５１は、垂直方向に対して第１の角度αで傾斜する角度であり、第２の斜め方向５２は、第１の角度αとは左右逆方向となるような第２の角度−αで傾斜する方向である。このような構成とすることで、第１の斜め方向５１に隣接する２つの斜め形状の散乱エリア６３の間にギャップ（隙間）５３を生じさせることができる。このギャップ５３があることで、上述の比較例の構成に比べて散乱エリア３１が画像表示面に平行な面内で分散されることとなり、目視観察では輝度低下を認識し難くなる。
【００４１】
なお、第２の斜め方向５２は、垂直方向に対して第１の斜め方向５１と完全に左右対称的（線対称的）となるような角度でなくとも構わない。すなわち、第２の斜め方向５２は、垂直方向に対して第１の斜め方向５１とは逆の角度方向であれば、垂直方向に対する角度の絶対値が異なっていても構わない。
【００４２】
［効果］
以上説明したように、本実施の形態に係る表示装置によれば、導光板３の第２の内部反射面３Ｂに散乱エリア３１と全反射エリア３２とを設け、第１の光源２による第１の照明光と、第２の光源７による第２の照明光Ｌ１０とを選択的に導光板３の外部に出射可能にしたので、等価的に、導光板３自体にパララックスバリアとしての機能を持たせることができる。これにより、従来のパララックスバリア方式の立体表示装置に比べて部品点数を少なくし、省スペース化を図ることができる。
【００４３】
また、本実施の形態に係る表示装置によれば、散乱エリア３１が、垂直方向に対して第１の斜め方向５１とは逆方向となる第２の斜め方向５２に延在する構造となるようにしたので、特に、２次元表示における輝度分布を改善することができる。
【００４４】
＜２．第２の実施の形態＞
次に、本開示の第２の実施の形態に係る表示装置について説明する。なお、上記第１の実施の形態に係る表示装置と実質的に同一の構成部分には同一の符号を付し、適宜説明を省略する。
【００４５】
本実施の形態では、上記第１の実施の形態に係る表示装置に対する複数の変形例、特に散乱エリア３１の配置パターンの変形例を説明する。
【００４６】
［第１の変形例］
図１４および図１５は、散乱エリア３１の配置パターンの第１の変形例を示している。図１４に示した視点画像の割り当てパターンは、図８と同様となっている。この第１の変形例は、散乱エリア３１の配置パターンが、上述の図１０および図１１の構成例と図１２および図１３の構成例とを組み合わせたようなパターンとなっている。この第１の変形例では、図１５に示したように、第２の斜め方向５２に延在するように傾斜配置された斜め形状の散乱エリア６３と、垂直方向（Ｙ方向）に延在する長方形状の散乱エリア６２とが複数、第１の斜め方向５１に不連続に分布し、１つの散乱エリア群を形成している。１つの散乱エリア群は、画素１１の配列面に垂直な方向から見たときに１立体画素の中央部分の画素、図１４の例では、第３視点の画素と第４視点の画素とにまたがるように分布している。長方形状の散乱エリア６２および斜め形状の散乱エリア６３の高さ（垂直方向の長さ）ｈ１は、各色用画素１１Ｒ，１１Ｇ，１１Ｂの１つ分の高さと略等しくなっている。長方形状の散乱エリア６２および斜め形状の散乱エリア６３の幅（水平方向の長さ）Ｄ１は、各色用画素１１Ｒ，１１Ｇ，１１Ｂの１つ分の幅に対して、例えば０．５倍以上１．５倍以下程度の大きさで構成されている。なお、図１４では１つの散乱エリア群のみを代表して図示しているが、全体としては散乱エリア群が複数、水平方向に分布している。これにより、３次元表示を行う場合には、図８および図９に示した構成と実質的に等価な表示を行うことができる。３次元表示に関して、図８および図９に示した構成と実質的に等価な表示を行うためには、長方形状の散乱エリア６２および斜め形状の散乱エリア６３の幅を、図８および図９に示した構成における斜め形状の散乱エリア６１の幅と略同じとし、長方形状の散乱エリア６２または斜め形状の散乱エリア６３の１つ分の面積が散乱エリア６１の面積と略同じにすることが望ましい。
【００４７】
この第１の変形例では、図１５に示したように、長方形状の散乱エリア６２と斜め形状の散乱エリア６３とが第１の斜め方向５１に隣接配置されている。このような構成とすることで、第１の斜め方向５１に隣接する長方形状の散乱エリア６２と斜め形状の散乱エリア６３との間にギャップ５３を生じさせることができる。このギャップ５３があることで、上述の比較例の構成に比べて散乱エリア３１が画像表示面に平行な面内で分散されることとなり、目視観察では輝度低下を認識し難くなる。
【００４８】
［第２の変形例］
図１６および図１７は、散乱エリア３１の配置パターンの第２の変形例を示している。図１６に示した視点画像の割り当てパターンは、図８と同様となっている。この第２の変形例は、上述の図１２および図１３の構成例における斜め形状の散乱エリア６３を２つに分割した構成にしたものである。この第２の変形例では、図１７に示したように、散乱エリア３１が所定の単位長さごとに２つの分割エリア６４Ａ，６４Ｂで構成されている。ここでいう所定の単位長さとは、図１３における斜め形状の散乱エリア６３の高さ（垂直方向の長さ）ｈ１に相当するものであり、各色用画素１１Ｒ，１１Ｇ，１１Ｂの１つ分の高さと略等しくなっている。この第２の変形例では、図１７に示したように、２つの分割エリア６４Ａ，６４Ｂが全体として、第１の斜め方向５１に不連続に分布し、１つの散乱エリア群を形成している。１つの散乱エリア群は、画素１１の配列面に垂直な方向から見たときに１立体画素の中央部分の画素、図１６の例では、第３視点の画素と第４視点の画素とにまたがるように分布している。２つの分割エリア６４Ａ，６４Ｂのそれぞれの幅（水平方向の長さ）Ｄ１は、各色用画素１１Ｒ，１１Ｇ，１１Ｂの１つ分の幅に対して、例えば０．５倍以上１．５倍以下程度の大きさで構成されている。なお、図１６では１つの散乱エリア群のみを代表して図示しているが、全体としては散乱エリア群が複数、水平方向に分布している。これにより、３次元表示を行う場合には、図８および図９に示した構成と実質的に等価な表示を行うことができる。３次元表示に関して、図８および図９に示した構成と実質的に等価な表示を行うためには、２つの分割エリア６４Ａ，６４Ｂのそれぞれの幅を、図８および図９に示した構成における斜め形状の散乱エリア６１の幅と略同じとし、２つの分割エリア６４Ａ，６４Ｂを合わせた面積が散乱エリア６１の面積と略同じになるようにすることが望ましい。
なお、ここでは散乱エリア３１を所定の単位長さごとに２つの分割エリア６４Ａ，６４Ｂで構成した例を示しているが、分割数を３つ以上とした構成であっても良い。
【００４９】
この第２の変形例では、図１７に示したように、２つの分割エリア６４Ａ，６４Ｂを合わせた全体の上部（分割エリア６４Ａの上部）の中点Ｐ１と下部（分割エリア６４Ｂの下部）の中点Ｐ２とを結んだ中心線が、第２の斜め方向５２に平行になっている。このような構成とすることで、第１の斜め方向５１に隣接する散乱エリア３１の間にギャップ（隙間）５３を生じさせることができる。このギャップ５３があることで、上述の比較例の構成に比べて散乱エリア３１が画像表示面に平行な面内で分散されることとなり、目視観察では輝度低下を認識し難くなる。
【００５０】
［第３の変形例］
図１８および図１９は、散乱エリア３１の配置パターンの第３の変形例を示している。図１８に示した視点画像の割り当てパターンは、図８と同様となっている。この第３の変形例は、散乱エリア３１を、上述の図１０および図１１の構成例における長方形状の散乱エリア６２に対して一部を切り欠いた形状にしたものである。この第３の変形例では、図１９に示したように、第１の斜め方向５１に切り欠き部６６を有する散乱エリア６５が複数、第１の斜め方向５１に不連続に分布し、１つの散乱エリア群を形成している。１つの散乱エリア群は、画素１１の配列面に垂直な方向から見たときに１立体画素の中央部分の画素、図１８の例では、第３視点の画素と第４視点の画素とにまたがるように分布している。切り欠き部６６を有する散乱エリア６５の高さ（垂直方向の長さ）ｈ１は、各色用画素１１Ｒ，１１Ｇ，１１Ｂの１つ分の高さと略等しくなっている。散乱エリア６５の幅（水平方向の長さ）Ｄ１は、各色用画素１１Ｒ，１１Ｇ，１１Ｂの１つ分の幅に対して、例えば０．５倍以上１．５倍以下程度の大きさで構成されている。なお、図１８では１つの散乱エリア群のみを代表して図示しているが、全体としては散乱エリア群が複数、水平方向に分布している。これにより、３次元表示を行う場合には、図８および図９に示した構成と実質的に等価な表示を行うことができる。
【００５１】
この第３の変形例では、図１７に示したように、切り欠き部６６を有する散乱エリア６５の上部の中点Ｐ１と下部の中点Ｐ２とを結んだ中心線が、第２の斜め方向５２に平行になっている。この第３の変形例では、第１の斜め方向５１は、垂直方向に対して第１の角度αで傾斜する角度であり、第２の斜め方向５２は、第１の角度αとは左右逆方向となるような第２の角度βで傾斜する方向である。このような構成とすることで、第１の斜め方向５１に隣接する散乱エリア６５の間にギャップ（隙間）５３を生じさせることができる。このギャップ５３があることで、上述の比較例の構成に比べて散乱エリア３１が画像表示面に平行な面内で分散されることとなり、目視観察では輝度低下を認識し難くなる。
【００５２】
［第４の変形例］
図２０および図２１は、散乱エリア３１の配置パターンの第４の変形例を示している。図２０に示した視点画像の割り当てパターンは、図８と同様となっている。この第４の変形例は、上述の図１０および図１１の構成例における長方形状の散乱エリア６２を２つに分割した構成にしたものである。この第４の変形例では、図２１に示したように、散乱エリア３１が所定の単位長さごとに２つの分割エリア６７Ａ，６７Ｂで構成されている。ここでいう所定の単位長さとは、図１１における長方形状の散乱エリア６２の高さ（垂直方向の長さ）ｈ１に相当するものであり、各色用画素１１Ｒ，１１Ｇ，１１Ｂの１つ分の高さと略等しくなっている。この第４の変形例では、図２１に示したように、２つの分割エリア６７Ａ，６７Ｂが全体として、第１の斜め方向５１に不連続に分布し、１つの散乱エリア群を形成している。１つの散乱エリア群は、画素１１の配列面に垂直な方向から見たときに１立体画素の中央部分の画素、図２０の例では、第３視点の画素と第４視点の画素とにまたがるように分布している。２つの分割エリア６７Ａ，６７Ｂのそれぞれの幅（水平方向の長さ）Ｄ１は、各色用画素１１Ｒ，１１Ｇ，１１Ｂの１つ分の幅に対して、例えば０．５倍以上１．５倍以下程度の大きさで構成されている。なお、図２０では１つの散乱エリア群のみを代表して図示しているが、全体としては散乱エリア群が複数、水平方向に分布している。これにより、３次元表示を行う場合には、図１０および図１１に示した構成と実質的に等価な表示を行うことができる。３次元表示に関して、図１０および図１１に示した構成と実質的に等価な表示を行うためには、２つの分割エリア６７Ａ，６７Ｂのそれぞれの幅を、図１０および図１１に示した構成における長方形状の散乱エリア６２の幅と略同じとし、２つの分割エリア６７Ａ，６７Ｂを合わせた面積が散乱エリア６２の面積と略同じになるようにすることが望ましい。
【００５３】
この第４の変形例では、図２１に示したように、２つの分割エリア６７Ａ，６７Ｂを合わせた全体の上部（分割エリア６７Ａの上部）の中点Ｐ１と下部（分割エリア６７Ｂの下部）の中点Ｐ２とを結んだ中心線が、第２の斜め方向５２に平行になっている。この第４の変形例では、第１の斜め方向５１は、垂直方向に対して第１の角度αで傾斜する角度であり、第２の斜め方向５２は、第１の角度αとは左右逆方向となるような第２の角度βで傾斜する方向である。このような構成とすることで、第１の斜め方向５１に隣接する散乱エリア３１の間にギャップ（隙間）５３を生じさせることができる。このギャップ５３があることで、上述の比較例の構成に比べて散乱エリア３１が画像表示面に平行な面内で分散されることとなり、目視観察では輝度低下を認識し難くなる。
【００５４】
［第５の変形例］
上記第４の変形例では、散乱エリア３１が所定の単位長さごとに２つの分割エリア６７Ａ，６７Ｂで構成されるものとしたが、分割数を３つ以上で構成してもよい。
【００５５】
図２２および図２３は、散乱エリア３１の配置パターンの第５の変形例を示している。図２２に示した視点画像の割り当てパターンは、図８と同様となっている。この第５の変形例は、上述の図１０および図１１の構成例における長方形状の散乱エリア６２を３つに分割した構成にしたものである。この第５の変形例では、図２３に示したように、散乱エリア３１が所定の単位長さごとに３つの分割エリア６８Ａ，６８Ｂ，６８Ｃで構成されている。ここでいう所定の単位長さとは、図１１における長方形状の散乱エリア６２の高さ（垂直方向の長さ）ｈ１に相当するものであり、各色用画素１１Ｒ，１１Ｇ，１１Ｂの１つ分の高さと略等しくなっている。この第５の変形例では、図２３に示したように、３つの分割エリア６８Ａ，６８Ｂ，６８Ｃが全体として、第１の斜め方向５１に不連続に分布し、１つの散乱エリア群を形成している。１つの散乱エリア群は、画素１１の配列面に垂直な方向から見たときに１立体画素の中央部分の画素、図２２の例では、第３視点の画素と第４視点の画素とにまたがるように分布している。３つの分割エリア６８Ａ，６８Ｂ，６８Ｃのそれぞれの幅（水平方向の長さ）Ｄ１は、各色用画素１１Ｒ，１１Ｇ，１１Ｂの１つ分の幅に対して、例えば０．５倍以上１．５倍以下程度の大きさで構成されている。なお、図２２では１つの散乱エリア群のみを代表して図示しているが、全体としては散乱エリア群が複数、水平方向に分布している。これにより、３次元表示を行う場合には、図１０および図１１に示した構成と実質的に等価な表示を行うことができる。３次元表示に関して、図１０および図１１に示した構成と実質的に等価な表示を行うためには、３つの分割エリア６８Ａ，６８Ｂ，６８Ｃのそれぞれの幅を、図１０および図１１に示した構成における長方形状の散乱エリア６２の幅と略同じとし、３つの分割エリア６８Ａ，６８Ｂ，６８Ｃを合わせた面積が散乱エリア６２の面積と略同じになるようにすることが望ましい。
【００５６】
この第５の変形例では、図２３に示したように、３つの分割エリア６８Ａ，６８Ｂ，６８Ｃを合わせた全体の上部（分割エリア６８Ａの上部）の中点Ｐ１と下部（分割エリア６８Ｃの下部）の中点Ｐ２とを結んだ中心線が、第２の斜め方向５２に平行になっている。この第５の変形例では、第１の斜め方向５１は、垂直方向に対して第１の角度αで傾斜する角度であり、第２の斜め方向５２は、第１の角度αとは左右逆方向となるような第２の角度βで傾斜する方向である。このような構成とすることで、第１の斜め方向５１に隣接する散乱エリア３１の間にギャップ（隙間）５３を生じさせることができる。このギャップ５３があることで、上述の比較例の構成に比べて散乱エリア３１が画像表示面に平行な面内で分散されることとなり、目視観察では輝度低下を認識し難くなる。
【００５７】
なお、図２３では、３つの分割エリア６８Ａ，６８Ｂ，６８Ｃのうち、中間の分割エリア６８Ｂが、上部の分割エリア６８Ａと下部の分割エリア６８Ｃとに対して水平方向に均等な位置に配置されている。これに対して、例えば図２７に示したように中間の分割エリア６８Ｂが、上部の分割エリア６８Ａと下部の分割エリア６８Ｃとに対して不均等な位置に配置されていても良い。
【００５８】
その他、３つの分割エリア６８Ａ，６８Ｂ，６８Ｃの間に隙間が設けられていても構わない。また、３つの分割エリア６８Ａ，６８Ｂ，６８Ｃのそれぞれの形状は同じでなくても良い。３つの分割エリア６８Ａ，６８Ｂ，６８Ｃのそれぞれの形状が全て異なっていても良い。
【００５９】
［第６の変形例］
図２５および図２６は、散乱エリア３１の配置パターンの第６の変形例を示している。図２５に示した視点画像の割り当てパターンは、図８と同様となっている。この第４の変形例は、上述の図１０および図１１の構成例における長方形状の散乱エリア６２を２つに分割すると共に、形状を三角形状にしたものである。この第６の変形例では、図２６に示したように、散乱エリア３１が所定の単位長さごとに２つの分割エリア６９Ａ，６９Ｂで構成されている。ここでいう所定の単位長さとは、図１１における長方形状の散乱エリア６２の高さ（垂直方向の長さ）ｈ１に相当するものであり、各色用画素１１Ｒ，１１Ｇ，１１Ｂの１つ分の高さと略等しくなっている。上部の分割エリア６９Ａは、頂点が上側に位置するような三角形状となっている。下部の分割エリア６９Ｂは、頂点が下側に位置するような逆三角形状となっている。この第６の変形例では、図２６に示したように、２つの分割エリア６９Ａ，６９Ｂが全体として、第１の斜め方向５１に不連続に分布し、１つの散乱エリア群を形成している。１つの散乱エリア群は、画素１１の配列面に垂直な方向から見たときに１立体画素の中央部分の画素、図２５の例では、第３視点の画素と第４視点の画素とにまたがるように分布している。２つの分割エリア６９Ａ，６９Ｂのそれぞれの幅（水平方向の長さ）Ｄ１は、各色用画素１１Ｒ，１１Ｇ，１１Ｂの１つ分の幅に対して、例えば０．５倍以上１．５倍以下程度の大きさで構成されている。なお、図２５では１つの散乱エリア群のみを代表して図示しているが、全体としては散乱エリア群が複数、水平方向に分布している。
【００６０】
この第６の変形例では、図２６に示したように、２つの分割エリア６９Ａ，６９Ｂを合わせた全体の上部（分割エリア６９Ａの上部）の中点Ｐ１と下部（分割エリア６９Ｂの下部）の中点Ｐ２とを結んだ中心線が、第２の斜め方向５２に平行になっている。このような構成とすることで、第１の斜め方向５１に隣接する散乱エリア３１の間にギャップ（隙間）５３を生じさせることができる。このギャップ５３があることで、上述の比較例の構成に比べて散乱エリア３１が画像表示面に平行な面内で分散されることとなり、目視観察では輝度低下を認識し難くなる。
【００６１】
なお、上記第１の実施の形態および各変形例では、３次元表示の視点数が６視点である場合を例に説明したが、視点数が６視点よりも多いまたは少ない構成であっても構わない。また、以上の各変形例を任意に組み合わせた構成も可能である。
【００６２】
＜３．第３の実施の形態＞
次に、本開示の第３の実施の形態に係る表示装置について説明する。なお、上記第１または第２の実施の形態に係る表示装置と実質的に同一の構成部分には同一の符号を付し、適宜説明を省略する。
【００６３】
［表示装置の全体構成］
上記上記第１の実施の形態では、導光板３において、散乱エリア３１と全反射エリア３２とを第２の内部反射面３Ｂ側に設けた構成例について説明したが、第１の内部反射面３Ａ側に設けた構成であっても良い。
【００６４】
図２７（Ａ），（Ｂ）は、本開示の第３の実施の形態に係る表示装置の一構成例を示している。この表示装置は、図１の表示装置と同様に、２次元表示モードと３次元表示モードとを任意に選択的に切り替えることが可能とされている。図２７（Ａ）は３次元表示モードでの構成に対応し、図２７（Ｂ）は２次元表示モードでの構成に対応している。図２７（Ａ），（Ｂ）には、各表示モードにおける光源デバイスからの光線の出射状態も模式的に図示している。
【００６５】
第２の内部反射面３Ｂは、全面に亘って鏡面加工がなされており、全反射条件を満たす入射角θ１で入射した第１の照明光Ｌ１を内部全反射させるようになっている。第１の内部反射面３Ａは、散乱エリア３１と全反射エリア３２とを有している。第１の内部反射面３Ａにおいて、全反射エリア３２と散乱エリア３１は、上述の第１または第２の実施の形態と同様に、パララックスバリアに相当する構造となるような構造で設けられている。すなわち、３次元表示モードにしたときに、散乱エリア３１がパララックスバリアとしての開口部（スリット部）として機能し、全反射エリア３２が遮蔽部として機能するような構造とされている。
【００６６】
全反射エリア３２は、全反射条件を満たす入射角θ１で入射した第１の照明光Ｌ１を内部全反射させる（所定の臨界角αよりも大きい入射角θ１で入射した第１の照明光Ｌ１を内部全反射させる）ようになっている。散乱エリア３１は、入射した光線Ｌ２のうち、全反射エリア３２における所定の全反射条件を満たす入射角θ１に対応する角度で入射した光線の少なくとも一部を外部に出射させる（所定の臨界角αよりも大きい入射角θ１に対応する角度で入射した光線の少なくとも一部を外部に出射させる）ようになっている。散乱エリア３１ではまた、入射した光線Ｌ２のうち、その他の一部の光線が内部反射するようになっている。
【００６７】
図２７（Ａ），（Ｂ）に示した表示装置において、表示部１に表示された複数の視点画像の空間分離を行うためには、表示部１の画素部と導光板３の散乱エリア３１とが所定の距離を保って対向配置されている必要がある。図２７（Ａ），（Ｂ）では表示部１と導光板３との間が空気間隔となっているが、所定の距離を保つために、表示部１と導光板３との間にスペーサが配置されていても良い。
【００６８】
［表示装置の基本動作］
この表示装置において、３次元表示モードでの表示を行う場合（図２７（Ａ））、表示部１には３次元画像データに基づく画像表示を行うと共に、第２の光源７の状態を全面に亘ってオフ（非点灯）状態にする。導光板３の側面に配置された第１の光源２は、オン（点灯）状態にする。この状態では、第１の光源２からの第１の照明光Ｌ１は、導光板３において第１の内部反射面３Ａの全反射エリア３２と第２の内部反射面３Ｂとの間で、繰り返し内部全反射されることにより、第１の光源２が配置された側の一方の側面から、対向する他方の側面へと導光され、他方の側面から出射される。その一方で、導光板３において第１の内部反射面３Ａの散乱エリア３１に入射した光線Ｌ２のうち、全反射条件を外れた一部の光線が散乱エリア３１から外部に出射される。散乱エリア３１ではまた、その他の一部の光線が内部反射されるが、その光線は、導光板３の第２の内部反射面３Ｂを介して外部に出射され、画像の表示に寄与することはない。結果として、導光板３において第１の内部反射面３Ａからは、散乱エリア３１のみから光線が出射される。すなわち、導光板３の表面を等価的に、散乱エリア３１を開口部（スリット部）とし、全反射エリア３２を遮蔽部とするようなパララックスバリアとして機能させることができる。これにより、等価的に、表示部１の背面側にパララックスバリアを配置したパララックスバリア方式による３次元表示が行われる。
【００６９】
一方、２次元表示モードでの表示を行う場合（図２７（Ｂ））には、表示部１には２次元画像データに基づく画像表示を行うと共に、第２の光源７の状態を全面に亘ってオン（点灯）状態にする。導光板３の側面に配置された第１の光源２は、例えば非点灯にする。この状態では、第２の光源７からの第２の照明光Ｌ１０が第２の内部反射面３Ｂを介して、ほぼ垂直に近い状態で導光板３に入射する。従って、その光線の入射角度は、全反射エリア３２における全反射条件を外れた状態となり、散乱エリア３１のみならず、全反射エリア３２からも外部に出射される。結果として、導光板３において第１の内部反射面３Ａの全面から光線が出射される。すなわち導光板３は、通常のバックライトと同様の面状光源として機能する。これにより、等価的に、表示部１の背面側に通常のバックライトを配置したバックライト方式による２次元表示が行われる。
【００７０】
なお、２次元表示モードでの表示を行う場合において、導光板３の側面に配置された第１の光源２も、第２の光源７と共にオン（点灯）状態に制御するようにしても良い。また、２次元表示モードでの表示を行う場合において、第１の光源２を、必要に応じて非点灯状態と点灯状態とに切り替えるようにしても良い。これにより、例えば、第２の光源７のみを点灯しただけでは、散乱エリア３１と全反射エリア３２とで輝度分布に差が生じるような場合、第１の光源２の点灯状態を適宜調整する（オン・オフ制御、または点灯量の調整をする）ことで全面に亘って輝度分布を最適化することが可能である。
【００７１】
本実施の形態においても、散乱エリア３１の構造を、上述の図１２〜図２６に示した例と同様の構成にすることにより、輝度分布を最適化することが可能である。
【００７２】
［効果］
以上説明したように、本実施の形態に係る表示装置によれば、導光板３の第１の内部反射面３Ａに散乱エリア３１と全反射エリア３２とを設け、第１の光源２による第１の照明光と、第２の光源７による第２の照明光Ｌ１０とを選択的に導光板３の外部に出射可能にしたので、等価的に、導光板３自体にパララックスバリアとしての機能を持たせることができる。これにより、従来のパララックスバリア方式の立体表示装置に比べて部品点数を少なくし、省スペース化を図ることができる。
【００７３】
また、上記第１または第２の実施の形態と同様に、散乱エリア３１を、垂直方向に対して第１の斜め方向５１とは逆方向となる第２の斜め方向５２に延在する構造とすることで、特に、２次元表示における輝度分布を改善することができる。
【００７４】
＜４．第４の実施の形態＞
次に、本開示の第４の実施の形態に係る表示装置について説明する。なお、上記第１ないし第３の実施の形態に係る表示装置と実質的に同一の構成部分には同一の符号を付し、適宜説明を省略する。
【００７５】
［表示装置の全体構成］
図２８（Ａ），（Ｂ）は、本開示の第４の実施の形態に係る表示装置の一構成例を示している。この表示装置は、図２７（Ａ），（Ｂ）の表示装置における第２の光源７に代えて、電子ペーパー４を備えたものである。
【００７６】
この表示装置は、全画面での２次元（２Ｄ）表示モードと、全画面での３次元（３Ｄ）表示モードとを任意に選択的に切り替えることが可能とされている。図２８（Ａ）は３次元表示モードでの構成に対応し、図２８（Ｂ）は２次元表示モードでの構成に対応している。図２８（Ａ），（Ｂ）には、各表示モードにおける光源デバイスからの光線の出射状態も模式的に図示している。
【００７７】
電子ペーパー４は、導光板３に対して、第１の照明光Ｌ１の外部への出射方向とは反対側（第２の内部反射面３Ｂが形成された側）に対向配置されている。電子ペーパー４は、入射した光線に対する作用を、光吸収状態と散乱反射状態との２つの状態に選択的に切り替え可能な光学デバイスとなっている。電子ペーパー４は、例えば電気泳動（Electrophoresis）方式や電子粉流体方式による粒子移動型ディスプレイで構成されている。粒子移動型ディスプレイでは、対向する一対の基板間に、例えば正に帯電した黒色粒子と例えば負に帯電した白色粒子とを分散させ、基板間に印加する電圧に応じて粒子を移動させることで、黒色表示または白色表示を行う。特に電気泳動方式では溶液中に粒子を分散させ、電子粉流体方式では気体中に粒子を分散させている。上述の光吸収状態とは、図２８（Ａ）に示したように電子ペーパー４の表示面４１を全面黒表示状態にすることに相当し、散乱反射状態とは、図２８（Ｂ）に示したように電子ペーパー４の表示面４１を全面白色表示状態にすることに相当する。電子ペーパー４は、表示部１に３次元画像データに基づく複数の視点画像を表示する場合（３次元表示モードにする場合）には、入射した光線に対する作用を光吸収状態にするようになっている。電子ペーパー４はまた、表示部１に２次元画像データに基づく画像を表示する場合（２次元表示モードにする場合）には、入射した光線に対する作用を散乱反射状態にするようになっている。
【００７８】
図２８（Ａ），（Ｂ）に示した表示装置において、表示部１に表示された複数の視点画像の空間分離を行うためには、表示部１の画素部と導光板３の散乱エリア３１とが所定の距離を保って対向配置されている必要がある。図２８（Ａ），（Ｂ）では表示部１と導光板３との間が空気間隔となっているが、所定の距離を保つために、表示部１と導光板３との間にスペーサが配置されていても良い。
【００７９】
［表示装置の動作］
この表示装置において、３次元表示モードでの表示を行う場合（図２８（Ａ））、表示部１には３次元画像データに基づく画像表示を行うと共に、電子ペーパー４の表示面４１を全面黒表示状態（光吸収状態）にする。この状態では、第１の光源２からの第１の照明光Ｌ１は、導光板３において第１の内部反射面３Ａの全反射エリア３２と第２の内部反射面３Ｂとの間で、繰り返し内部全反射されることにより、第１の光源２が配置された側の一方の側面から、対向する他方の側面へと導光され、他方の側面から出射される。その一方で、導光板３において第１の内部反射面３Ａの散乱エリア３１に入射した光線Ｌ２のうち、全反射条件を外れた一部の光線が散乱エリア３１から外部に出射される。散乱エリア３１ではまた、その他の一部の光線Ｌ３が内部反射されるが、その光線Ｌ３は、導光板３の第２の内部反射面３Ｂを介して、電子ペーパー４の表示面４１に入射する。ここで、電子ペーパー４の表示面４１は全面黒表示状態になっているので、その光線Ｌ３は表示面４１で吸収される。結果として、導光板３において第１の内部反射面３Ａからは、散乱エリア３１のみから光線が出射される。すなわち、導光板３の表面を等価的に、散乱エリア３１を開口部（スリット部）とし、全反射エリア３２を遮蔽部とするようなパララックスバリアとして機能させることができる。これにより、等価的に、表示部１の背面側にパララックスバリアを配置したパララックスバリア方式による３次元表示が行われる。
【００８０】
一方、２次元表示モードでの表示を行う場合（図２８（Ｂ））には、表示部１には２次元画像データに基づく画像表示を行うと共に、電子ペーパー４の表示面４１を全面白色表示状態（散乱反射状態）にする。この状態では、第１の光源２からの第１の照明光Ｌ１は、導光板３において第１の内部反射面３Ａの全反射エリア３２と第２の内部反射面３Ｂとの間で、繰り返し内部全反射されることにより、第１の光源２が配置された側の一方の側面から、対向する他方の側面へと導光され、他方の側面から出射される。その一方で、導光板３において第１の内部反射面３Ａの散乱エリア３１に入射した光線Ｌ２のうち、全反射条件を外れた一部の光線が散乱エリア３１から外部に出射される。散乱エリア３１ではまた、その他の一部の光線Ｌ３が内部反射されるが、その光線Ｌ３は、導光板３の第２の内部反射面３Ｂを介して、電子ペーパー４の表示面４１に入射する。ここで、電子ペーパー４の表示面４１は全面白色表示状態になっているので、その光線Ｌ３は表示面４１で散乱反射される。ここで散乱反射された光線は、第２の内部反射面３Ｂを介して再び導光板３に入射するが、その光線の入射角度は、全反射エリア３２における全反射条件を外れた状態となり、散乱エリア３１のみならず、全反射エリア３２からも外部に出射される。結果として、導光板３において第１の内部反射面３Ａの全面から光線が出射される。すなわち導光板３は、通常のバックライトと同様の面状光源として機能する。これにより、等価的に、表示部１の背面側に通常のバックライトを配置したバックライト方式による２次元表示が行われる。
【００８１】
［効果］
以上説明したように、本実施の形態に係る表示装置によれば、導光板３の第１の内部反射面３Ａに全反射エリア３２と散乱エリア３１とを設けるようにしたので、等価的に、導光板３自体にパララックスバリアとしての機能を持たせることができる。これにより、従来のパララックスバリア方式の表示装置に比べて部品点数を少なくし、省スペース化を図ることができる。また、電子ペーパー４の表示状態を切り替えるだけで、２次元表示モードと３次元表示モードとを容易に切り替えることができる。
【００８２】
また、上記第１または第２の実施の形態と同様に、散乱エリア３１を、垂直方向に対して第１の斜め方向５１とは逆方向となる第２の斜め方向５２に延在する構造とすることで、特に、２次元表示における輝度分布を改善することができる。
【００８３】
＜５．第５の実施の形態＞
次に、本開示の第５の実施の形態に係る表示装置について説明する。なお、上記第１ないし第４の実施の形態に係る表示装置と実質的に同一の構成部分には同一の符号を付し、適宜説明を省略する。
【００８４】
［表示装置の全体構成］
図２９（Ａ），（Ｂ）は、本開示の第５の実施の形態に係る表示装置の一構成例を示している。この表示装置は、図２８（Ａ），（Ｂ）の表示装置と同様に、２次元表示モードと３次元表示モードとを任意に選択的に切り替えることが可能とされている。図２９（Ａ）は３次元表示モードでの構成に対応し、図２９（Ｂ）は２次元表示モードでの構成に対応している。図２９（Ａ），（Ｂ）には、各表示モードにおける光源デバイスからの光線の出射状態も模式的に図示している。
【００８５】
この表示装置は、光源デバイスが、図２８（Ａ），（Ｂ）の表示装置における電子ペーパー４に代えてポリマー拡散板５を備えている。その他の構成は、図２８（Ａ），（Ｂ）の表示装置と同様である。ポリマー拡散板５は、ポリマー分散型液晶（polymer-dispersed liquid crystal）を用いて構成されている。ポリマー拡散板５は、導光板３に対して、第１の照明光Ｌ１の外部への出射方向（第１の内部反射面３Ａが形成された側）に対向配置されている。ポリマー拡散板５は、液晶層に印加する電圧に応じて、入射した光線に対する作用を、透明状態と拡散透過状態との２つの状態に選択的に切り替え可能な光学デバイスである。
【００８６】
［表示装置の基本動作］
この表示装置において、３次元表示モードでの表示を行う場合（図２９（Ａ））、表示部１には３次元画像データに基づく画像表示を行うと共に、ポリマー拡散板５の状態を全面に亘って透明状態にする。この状態では、第１の光源２からの第１の照明光Ｌ１は、導光板３において第１の内部反射面３Ａの全反射エリア３２と第２の内部反射面３Ｂとの間で、繰り返し内部全反射されることにより、第１の光源２が配置された側の一方の側面から、対向する他方の側面へと導光され、他方の側面から出射される。その一方で、導光板３において第１の内部反射面３Ａの散乱エリア３１に入射した光線Ｌ２のうち、全反射条件を外れた一部の光線が散乱エリア３１から外部に出射される。散乱エリア３１を介して外部に出射された光線はポリマー拡散板５に入射するが、ポリマー拡散板５の状態は全面に亘って透明状態になっているので、散乱エリア３１からの出射角度を保った状態で、そのままポリマー拡散板５を透過して表示部１に入射する。散乱エリア３１ではまた、その他の一部の光線Ｌ３が内部反射されるが、その光線Ｌ３は、導光板３の第２の内部反射面３Ｂを介して外部に出射され、画像の表示に寄与することはない。結果として、導光板３において第１の内部反射面３Ａからは、散乱エリア３１のみから光線が出射される。すなわち、導光板３の表面を等価的に、散乱エリア３１を開口部（スリット部）とし、全反射エリア３２を遮蔽部とするようなパララックスバリアとして機能させることができる。これにより、等価的に、表示部１の背面側にパララックスバリアを配置したパララックスバリア方式による３次元表示が行われる。
【００８７】
一方、２次元表示モードでの表示を行う場合（図２９（Ｂ））には、表示部１には２次元画像データに基づく画像表示を行うと共に、ポリマー拡散板５の状態を全面に亘って拡散透過状態にする。この状態では、第１の光源２からの第１の照明光Ｌ１は、導光板３において第１の内部反射面３Ａの全反射エリア３２と第２の内部反射面３Ｂとの間で、繰り返し内部全反射されることにより、第１の光源２が配置された側の一方の側面から、対向する他方の側面へと導光され、他方の側面から出射される。その一方で、導光板３において第１の内部反射面３Ａの散乱エリア３１に入射した光線Ｌ２のうち、全反射条件を外れた一部の光線が散乱エリア３１から外部に出射される。ここで、散乱エリア３１を介して外部に出射された光線はポリマー拡散板５に入射するが、ポリマー拡散板５の状態は全面に亘って拡散透過状態になっているので、表示部１に入射する光線は、ポリマー拡散板５によって全面に亘って拡散された状態となる。結果として、光源デバイス全体としては、通常のバックライトと同様の面状光源として機能する。これにより、等価的に、表示部１の背面側に通常のバックライトを配置したバックライト方式による２次元表示が行われる。
【００８８】
本実施の形態においても、上記第１または第２の実施の形態と同様に、散乱エリア３１を、垂直方向に対して第１の斜め方向５１とは逆方向となる第２の斜め方向５２に延在する構造とすることで、特に、２次元表示における輝度分布を改善することができる。
【００８９】
＜６．その他の実施の形態＞
本開示による技術は、上記各実施の形態の説明に限定されず種々の変形実施が可能である。
例えば、上記各実施の形態に係る表示装置はいずれも、表示機能を有する種々の電子機器に適用可能である。図３０は、そのような電子機器の一例としてテレビジョン装置の外観構成を表している。このテレビジョン装置は、フロントパネル２１０およびフィルターガラス２２０を含む映像表示画面部２００を備えている。
【００９０】
また例えば、本技術は以下のような構成を取ることができる。
（１）
複数の画素が配列された表示部と、
前記表示部に対向配置され、前記表示部に向けて画像表示用の光を出射する光源デバイスと
を含み、
前記光源デバイスは、
第１の照明光を照射する第１の光源と、
複数の散乱エリア群を有し、側面方向から照射された前記第１の照明光を前記複数の散乱エリア群で散乱させることによって外部に出射させる導光板と
を備え、
前記散乱エリア群は、前記画素の配列面に平行な面内で、全体として垂直方向に対して第１の斜め方向に分布する複数の散乱エリアからなり、
前記複数の散乱エリアのうち、少なくとも１つの前記散乱エリアが、前記垂直方向に対して前記第１の斜め方向とは逆方向となる第２の斜め方向に延在する構造とされている
表示装置。
（２）
前記第１の斜め方向に隣接する２つの前記散乱エリアの間に隙間が設けられている
上記（１）に記載の表示装置。
（３）
前記散乱エリアの上部の中点と下部の中点とを結んだ中心線が、前記第２の斜め方向に平行となっている
上記（１）または（２）に記載の表示装置。
（４）
前記複数の散乱エリアとして、前記第２の斜め方向に延在する第１の散乱エリアと、前記垂直方向に延在する第２の散乱エリアとを有し、前記第１の散乱エリアと前記第２の散乱エリアとが前記第１の斜め方向に隣接配置されている
上記（１）ないし（３）のいずれか１つに記載の表示装置。
（５）
前記複数の散乱エリアのうち、少なくとも１つの前記散乱エリアが、所定の単位長さごとに複数の分割エリアに分割され、複数の前記分割エリアが全体として前記第２の斜め方向に延在している
上記（１）ないし（４）のいずれか１つに記載の表示装置。
（６）
前記導光板に対向配置され、前記第１の光源とは異なる方向から前記導光板に向けて第２の照明光を照射する第２の光源と、
上記（１）ないし（５）のいずれか１つに記載の表示装置。
（７）
前記表示部は、３次元画像データに基づく複数の視点画像と２次元画像データに基づく画像とを選択的に切り替え表示するものであり、
上記（６）に記載の表示装置。
（８）
前記第１の光源は、前記表示部に前記複数の視点画像を表示する場合には、点灯状態に制御され、前記表示部に前記２次元画像データに基づく画像を表示する場合には、非点灯状態または点灯状態に制御される
上記（７）に記載の表示装置。
（９）
前記導光板に対して、前記第１の照明光の出射方向とは反対側に対向配置され、入射した光線に対する作用を、光吸収状態と散乱反射状態との２つの状態に選択的に切り替え可能な光学デバイスをさらに備えた
上記（１）ないし（５）のいずれか１つに記載の表示装置。
（１０）
前記導光板に対して、前記第１の照明光の出射方向に対向配置され、入射した光線に対する作用を、透明状態と拡散透過状態との２つの状態に選択的に切り替え可能な光学デバイスをさらに備えた
上記（１）ないし（５）のいずれか１つに記載の表示装置。
（１１）
第１の照明光を照射する第１の光源と、
複数の画素が配列された表示部に対して対向配置され、複数の散乱エリア群を有し、側面方向から照射された前記第１の照明光を前記複数の散乱エリア群で散乱させることによって外部に出射させる導光板と
を備え、
前記散乱エリア群は、前記画素の配列面に平行な面内で、全体として垂直方向に対して第１の斜め方向に分布する複数の散乱エリアからなり、
前記複数の散乱エリアのうち、少なくとも１つの前記散乱エリアが、前記垂直方向に対して前記第１の斜め方向とは逆方向となる第２の斜め方向に延在する構造とされている
光源デバイス。
（１２）
表示装置を備え、
前記表示装置は、
複数の画素が配列された表示部と、
前記表示部に対向配置され、前記表示部に向けて画像表示用の光を出射する光源デバイスと
を含み、
前記光源デバイスは、
第１の照明光を照射する第１の光源と、
複数の散乱エリア群を有し、側面方向から照射された前記第１の照明光を前記複数の散乱エリア群で散乱させることによって外部に出射させる導光板と
を有し、
前記散乱エリア群は、前記画素の配列面に平行な面内で、全体として垂直方向に対して第１の斜め方向に分布する複数の散乱エリアからなり、
前記複数の散乱エリアのうち、少なくとも１つの前記散乱エリアが、前記垂直方向に対して前記第１の斜め方向とは逆方向となる第２の斜め方向に延在する構造とされている
電子機器。
【符号の説明】
【００９１】
１…表示部、２…第１の光源（２Ｄ／３Ｄ表示用光源）、３…導光板、３Ａ…第１の内部反射面、３Ｂ…第２の内部反射面、４…電子ペーパー、５…ポリマー拡散板、７…第２の光源（２Ｄ表示用光源）、１１…画素、１１Ｒ…赤色用画素、１１Ｇ…緑色用画素、１１Ｂ…青色用画素、３１，３１Ａ，３１Ｂ，３１Ｃ…散乱エリア、３２…全反射エリア、３３…凹形状の側面部分、３４…凸形状の側面部分、３５…光散乱部材、５１…第１の斜め方向（散乱エリアの延在方向）、５２…第２の斜め方向、５３…ギャップ（隙間）、６１，６２，６３，６５…散乱エリア、６４Ａ，６４Ｂ…分割エリア、６７Ａ，６７Ｂ…分割エリア、６８Ａ，６８Ｂ，６８Ｃ…分割エリア、６９Ａ，６９Ｂ…分割エリア、６６…切り欠き部、２００…映像表示画面部、２１０…フロントパネル、２２０…フィルターガラス、Ｄ１…散乱エリアの幅、ｈ１…散乱エリアの高さ、Ｌ１，Ｌ１１，Ｌ１２…第１の照明光、Ｌ１０…第２の照明光，Ｌ２０…散乱光線、Ｐ１…上部の中点、Ｐ２…下部の中点、α…第１の角度、−α，β…第２の角度、θ１…入射角。
【図１】
2013104914.tif 000003
【図２】
2013104914.tif 000004
【図３】
2013104914.tif 000005
【図４】
2013104914.tif 000006
【図５】
2013104914.tif 000007
【図６】
2013104914.tif 000008
【図７】
2013104914.tif 000009
【図８】
2013104914.tif 000010
【図９】
2013104914.tif 000011
【図１０】
2013104914.tif 000012
【図１１】
2013104914.tif 000013
【図１２】
2013104914.tif 000014
【図１３】
2013104914.tif 000015
【図１４】
2013104914.tif 000016
【図１５】
2013104914.tif 000017
【図１６】
2013104914.tif 000018
【図１７】
2013104914.tif 000019
【図１８】
2013104914.tif 000020
【図１９】
2013104914.tif 000021
【図２０】
2013104914.tif 000022
【図２１】
2013104914.tif 000023
【図２２】
2013104914.tif 000024
【図２３】
2013104914.tif 000025
【図２４】
2013104914.tif 000026
【図２５】
2013104914.tif 000027
【図２６】
2013104914.tif 000028
【図２７】
2013104914.tif 000029
【図２８】
2013104914.tif 000030
【図２９】
2013104914.tif 000031
【図３０】
2013104914.tif 000032